(57)【特許請求の範囲】
【請求項１】
発光部材のライトを制御するライトコントロールシステムであって、環境収集モジュールと、コントローラーと、サーバーとを含み、
前記環境収集モジュールは、環境データを収集し、前記コントローラーに転送し、
前記コントローラーは、前記環境データに基づいてメモリーモジュールからデータを探し、計算モジュールにより前記発光部材に対する制御指令を得て、前記制御指令により前記発光部材を制御し、
前記サーバーは、前記計算モジュール及び前記メモリーモジュールを設け、前記メモリーモジュールは前記発光部材に対するコントロールパラメーターを記憶し、
音声データを収集し、前記音声データに対して解析を実施し、前記音声データから前記発光部材に対する操作指令情報を得て、操作指令を前記コントローラーに転送する音声・語義処理モジュールをさらに含み、
前記コントローラーは、前記操作指令情報により前記発光部材に対してライトコントロールをし、
前記音声・語義処理モジュールが前記音声データを収集できない場合、もしくは、前記音声データに対して解析しても前記発光部材に対する前記操作指令を得ることができない場合に、前記コントローラーを遠隔制御し、前記コントローラーにより前記発光部材の前記ライトを制御する無線コントロール装置をさらに含み、
前記サーバーは、リアルタイム的に、ソフトウェアである前記音声・語義処理モジュールを最新の音声・語義処理モジュールに更新するアップデート無線モジュールを備える、
ライトコントロールシステム。
【請求項２】
前記無線コントロール装置は、マルチタッチ・ヒューマンコンピュータ・インタラクション・インタフェースを備え、前記マルチタッチ・ヒューマンコンピュータ・インタラクション・インタフェースは、スイッチと、光度制御用スライドレバー、色選択器、投射／反射方向調節器、好みのプリセット装置、知的調整用のボタンを設置する、
請求項１に記載のライトコントロールシステム。
【請求項３】
前記音声・語義処理モジュールは、前記音声データの前記解析により前記発光部材に対する前記操作指令情報を得ることができない場合、音声情報を再収集する提示音を出すスピーカーをさらに含む、
請求項１に記載のライトコントロールシステム。
【請求項４】
前記環境データは、前記発光部材の所在の環境の温度、湿度、照度及び／又は赤外線に関するパラメーターを含む、
請求項１に記載のライトコントロールシステム。
【請求項５】
前記コントローラーは、同時に前記ライトコントロールシステムの運行状況に対して記録と監督を実施し、取得したデータを前記メモリーモジュールに転送する、
請求項１に記載のライトコントロールシステム。
【請求項６】
前記発光部材は、ＬＥＤライトグループである、請求項１に記載のライトコントロールシステム。
【請求項７】
前記環境収集モジュールは、前記環境データを収集して前記コントローラーに転送し、
前記コントローラーは、前記環境データに基づき、前記メモリーモジュールから前記データを探し、前記計算モジュールにより前記発光部材に対しての前記制御指令を得て、前記制御指令により前記発光部材を制御する、
請求項１〜６のいずれか一項に記載のライトコントロールシステムのコントロール方法。
【請求項８】
前記音声・語義処理モジュールもしくは前記無線コントロール装置を利用して、前記コントローラーに前記操作指令を出し、
前記コントローラーは、前記操作指令を受信し、前記操作指令に基づいて前記発光部材の前記ライトを制御すること、
をさらに含む、請求項７に記載のライトコントロール方法。
【発明の詳細な説明】
【技術分野】
【０００１】
本発明は、インテリジェント感知コントロール分野に関し、特にライトコントロールシステム及び方法に関する。
【背景技術】
【０００２】
ＬＥＤはエコな光源であり、白熱灯と蛍光灯とに比べて、省エネ効率が９０％以上に達する。同様な光度において、電気消耗は普通の白熱灯の１／１０で、蛍光灯の１／２に過ぎない。
【０００３】
ＬＥＤは直流電流で駆動されるものであるため、ストロボがなく、赤外線も紫外線もなく、放射線汚染すらない。顕色性が高くて、発光方向性も強く、調光性能が優れており、色温度変化による視覚的誤差もない。冷光源なので、発熱が低く、接触しても安全である。上記のメリットは、すべて白熱灯と蛍光灯が実現できないことである。つまり、人に快適な照明空間を提供でき、身体健康のニーズを満足でき、視力を保護できる健康的な光源である。
【０００４】
光色展示灯具の芸術化において、ＬＥＤは固有のメリットを有している。彩色ＬＥＤ製品は既に可視光線スペクトル範囲にわたり、単色性がよく、色彩純度が高く、赤、緑、黄のＬＥＤの組み合わせにより、色彩とグレイスケールの多数の選択（１６７０万色）を与え、膨大な可能性がある。
【０００５】
現在、様々な雰囲気を生成するＬＥＤ製品が市販されている。複数のＬＥＤユニットと良好な光学構造デザインを利用して、室内空間において既存の照明具で作れないほどの色彩の雰囲気を作り出すことができ、同時に、装置にある無線インテリジェントコントローラーを用いて、任意に色彩と光度などを制御できるほか、ライトの変化を自由に調整できる。
【０００６】
既存のＬＥＤ装置に対するコントロール手段は、主に有線もしくは無線コントローラーを操作することで、発光の色彩、光度、投射方向、散乱範囲などを制御する。また、無線転送技術、例えばＷｉ−Ｆｉ（登録商標）もしくはブルートゥース（登録商標）で装置を他のインテリジェント端末に連結し、コントロールソフトをインストールすることでＬＥＤを制御する。しかし、ＬＥＤ装置は自ら周囲の環境によって上記のライトのパラメーターを最適値に調整できない。当業者にとっては、これは望ましくないことである。
【０００７】
中国特許（ＣＮ１０３８１３５８６Ａ）には、遠隔ＬＥＤライトコントロールシステムが記載されている。当該システムは手持ちの端末と、マスターコントロールモジュールと、駆動モジュールと、ＬＥＤライトとで構成される。前記手持ちの端末は、ユーザーが必要なライト雰囲気モードを選び、そのモードを前記マスターコントロールモジュールに転送するために用いられる。前記マスターコントロールモジュールは、ライト雰囲気モードの情報を受信し、ライト雰囲気モードに対応する電流と、パワー情報とに基づき、制御指令を駆動モジュールに転送する。前記駆動モジュールは、制御指令を受信し、前記制御指令に応じてＬＥＤの光度を調整する。前記駆動モジュールは、さらに前記ＬＥＤのリアルタイム電流、リアルタイムパワーなどの状態情報を収集し、手持ちの端末に転送する。
【０００８】
上記の特許には、ＬＥＤ装置自身が周囲の具体的な環境によってライトのパラメーターを最適範囲に調整する技術特徴は記載されていない。
【発明の概要】
【０００９】
上記の問題に対して、本発明はライトコントロールシステムを提供し、発光部材のライトに対するコントロールを実施し、前記システムは、環境収集モジュールと、コントローラーと、計算モジュール及びメモリーモジュールを設けたサーバーとを含み、メモリーモジュールは発光部材に対してのコントロールパラメーターを記憶する。
【００１０】
前記環境収集モジュールは、環境データを収集し、前記コントローラーに転送する。
【００１１】
前記コントローラーは、前記環境データに基づいてメモリーモジュールからデータを探し、計算モジュールにより発光部材に対する制御指令を得て、前記制御指令により発光部材を制御する。
【００１２】
前記ライトコントロールシステムは、音声・語義処理モジュールを含む。
【００１３】
前記音声・語義処理モジュールは、音声データを収集し、音声データを解析し、音声データから前記発光部材に対する操作指令情報を得て、前記操作指令情報を前記コントローラーに転送する。
【００１４】
前記コントローラーは、前記操作指令情報により前記発光部材をライト制御する。
【００１５】
前記ライトコントロールシステムは無線コントロール装置を含む。
【００１６】
前記音声・語義処理モジュールが音声データを収集できない場合、もしくは、音声データから前記発光部材に対する操作指令情報を得ることができない場合に、前記無線コントロール装置は前記コントローラーにより前記発光部材のライトを制御する。
【００１７】
前記ライトコントロールシステムでは、前記無線コントロール装置はマルチタッチ・ヒューマンコンピュータ・インタラクション・インタフェース（Multi-touch human-computer interaction interface）を備え、前記インタフェースは、電源スイッチと、光度制御用スライドレバーと、色選択器、投射／反射方向調節器、好みのプリセット装置、知的調整用ボタンを設置する。
【００１８】
前記ライトコントロールシステムでは、前記音声・語義処理モジュールは、スピーカーを含み、前記音声・語義処理モジュールは、音声データから前記発光部材に対する操作指令情報を得ることができない場合に、前記スピーカーは音声情報を再収集する提示音を出す。
【００１９】
前記ライトコントロールシステムでは、前記環境データは、発光部材の所在の環境の温度と、湿度と、照度及び／又は赤外線のパラメーターを含む。
【００２０】
前記ライトコントロールシステムでは、前記コントローラーは同時に前記システムの運行状況に対して記録と監督を実施し、取得したデータを前記メモリーモジュールに記憶する。
【００２１】
前記ライトコントロールシステムでは、前記発光部材はＬＥＤライトグループである。
【００２２】
前記ライトコントロールシステムのライト制御方法では、前記環境収集モジュールは、環境データを収集し、収集した環境データを前記コントローラーに送る。
【００２３】
前記コントローラーは、前記環境データに基づき、前記メモリーモジュールからデータを探し、前記計算モジュールにより発光部材に対する制御指令を得て、前記制御指令により前記発光部材を制御する。
【００２４】
前記ライトコントロール方法は、前記音声・語義処理モジュールもしくは前記無線コントロール装置を利用して、前記コントローラーに操作指令を出し、
前記コントローラーが前記操作指令を受信し、前記操作指令に基づいて前記発光部材のライトを制御する。
【００２５】
上記の発明は、以下のメリットもしくは有益な効果がある。
【００２６】
本発明が提供したライトコントロールシステムは、音声指令により発光部材を制御し、同時に、様々なセンサーデータを収集することにより、ローカルデータもしくはサーバーデータを探して、アルゴリズムにより現在発光部材の所在環境の各パラメーターを取り出して、これにより、現在の発光部材が提供したライト環境が現在の環境とマッチするかどうかを判断し、その結果、自動的に各設置を調整して現在の環境に対しての最善な効果を達成する。
【図面の簡単な説明】
【００２７】
以下で参照される図面は実施形態の詳細説明に制限されるものではなく、本発明及びその特徴、外形、メリットを理解しやすくし、図中の同じ部分は同じ標記を使い、実際の比例に従って図面を書いたものではなく、本発明の主旨を表示する。
【図１】図１は本発明の音声コントロールシステムの模式図である。
【図２】図２は本発明における総合コントロールシステムの模式図である。
【発明を実施するための形態】
【００２８】
以下図面を参照して具体的な実施形態により本発明を詳しく説明するが、以下の説明は本発明を限定するものではない。
【００２９】
図１に示した通り、ライトコントロールシステムは、受動的にユーザーからの音声指令もしくは他の遠隔無線伝送インテリジェント装置による指令を受け、発光部材を操作する。システムは、受動的な指令を直接出す場合に、システムに配置された策略に従って自発的に遠隔サーバー、既に繋がったユーザーの無線インテリジェント装置、環境収集モジュールから決定に役立つデータを収集し、発光部材をコントロールし、予期状態に入らせる。
【００３０】
本発明を徹底的に理解し、本発明の技術案を解釈するために、以下に詳細なステップと構成を説明する。以下、本発明の好ましい実施形態を詳細に説明するが、本発明には別の実施形態がある。
【００３１】
現在のＬＥＤ装置に対するコントロール手段は、主に有線コントローラー、もしくは無線コントローラーを操作することにより、発光の色彩、光度、投射方向、散乱範囲などを制御する。また、無線転送技術、例えばＷｉ−Ｆｉもしくはブルートゥースを用いて装置を他のインテリジェント端末に繋ぎ、コントロールソフトをインストールすることによりＬＥＤを制御する。しかし、ＬＥＤ装置は所在の周囲の環境によって上記のライトパラメーターを最適値に自動的に調整できない。
【００３２】
上記の問題を解決するために、図２で示すように、本発明が提供したライトコントロールシステムは、発光部材のライトを制御するものであり、当該システムは環境収集モジュールと、コントローラーと、計算モジュール及び発光部材に対するコントロールパラメーターを記憶するメモリーモジュールを設けるサーバーとを含み、
環境収集モジュールは、環境データを収集して、前記コントローラーに転送し、前記コントローラーは、前記環境データに基づいてメモリーモジュールからデータを探し、計算モジュールにより発光部材に対する制御指令を得て、前記制御指令により前記発光部材を制御する。
【００３３】
前記システムは、音声・語義処理モジュールをさらに含む。
【００３４】
音声・語義処理モジュールは、音声データを収集し、音声データに対しての解析を実施し、その結果から前記発光部材に対する操作指令情報を得て、操作指令情報をコントローラーに転送する。
【００３５】
コントローラーは、操作指令情報により発光部材のライトを制御する。
【００３６】
前記システムは、無線コントロール装置をさらに含む。
【００３７】
音声・語義処理モジュールが音声データを収集できない場合、もしくは、音声データから発光部材に対する操作指令情報を得ることができない場合に、無線コントロール装置はコントローラーにより発光部材のライトを制御する。
【００３８】
本発明では、サーバーはアップデート無線モジュールをさらに備える。アップデート無線モジュールは、リアルタイム的に更新し、ローカル装置の装置コントロールソフトウェアの最新のソフトウェアバージョンを送る。例えば、音声・語義処理モジュールがより多くの単語を処理できるように、アップデート無線モジュールは自動的に古いバージョンを更新してアップする。
【００３９】
本発明では、無線コントロール装置は、音声・語義処理モジュールの機能の補充として、ユーザーが発光部材から離れている場合の遠隔コントロールに用いられる。当該無線コントロール装置は、マルチタッチ・ヒューマンコンピュータ・インタラクション・インタフェースを備え、テレビとリモコンの関係のように、当該無線コントロール装置はコントローラーを遠隔制御できる。コントローラーは無線コントロール装置からの指令を受信して、発光部材に対して具体的な操作を制御する。当該無線コントロール装置には、遠隔コントロールで発光部材を操作できるように、スイッチ、光度制御用スライドレバー、色選択器、投射／反射方向調節器、好みのプリセット装置、知的調整用のボタンを設置する。
【００４０】
好ましくは、本発明において、無線端末装置を無線コントロール装置に連結する。無線端末装置とは、例えば携帯電話である。携帯電話にコントロールソフトウェアをインストールして、無線通信でコントロールソフトウェアの操作命令を無線コントロール装置に転送し、無線コントロール装置は対応する制御指令をコントローラーに転送し、これによりＬＥＤライトを制御する。
【００４１】
本発明において、音声・語義処理モジュールは、ユーザーが言ったことを解析して、発光部材に対する具体的な操作指令を得ることがきる。例えば、ユーザーが「柔らかに」の声を出す場合に、音声・語義処理モジュールは、適時に当該信号を受信して処理をし、データを生成してコントローラーに転送する。コントローラーは、データを解析してから、指令を発光部材に転送し、発光部材を制御する。しかし、ユーザーの音声がはっきりしない場合に、音声・語義処理モジュールは、解析しても具体的な指令を得ることができなくなり、この時、音声・語義処理モジュールに連接したスピーカーは「もう一度入力してください」などの提示信号を出し、ユーザーに提示する。仮に、音声指令の概念が曖昧で解析できない場合に、指令が確認できるまでに、スピーカーは同じく再入力の提示信号を出し、もしくは、決められた選択肢をユーザーに提示する。当該ユニットは音波に対する探知機能を有するため、当該処理ユニットは周囲環境の状況を感知して、ユーザーの行動を推測することに用いられる。
【００４２】
本発明では、環境収集モジュールは、発光部材の所在の環境の温度、湿度、照度及び／又は赤外線などのパラメーターを収集する能力を備え、サーバーにおけるメモリーモジュールと協力して、自動的に発光部材を制御することができる。当該環境収集モジュールは、周囲環境に関する各パラメーターを感知し、サーバーに転送して、メモリーモジュールに記憶されたキーパラメーターと照合する。照合する結果が近いもしくは一致する場合、指令を出し、発光部材に対して自動的に制御を行う。
【００４３】
本発明では、コントローラーは、各種類のモジュールから転送されたパラメーターを受信して、処理する。例えば、環境収集モジュールは、発光部材が所在の環境の各パラメーターを収集し、コントローラーは、これらのパラメーターを処理し、サーバーのメモリーモジュールからデータを探し、これによって発光部材を制御できる具体的な指令を計算する。また、音声・語義処理モジュールから転送されてきた音声指令はコントローラーで解析されてから、具体的な制御指令を得て、発光部材に対する音声制御を実現させる。また、当該コントローラーは、当該ライトコントロールシステムの運行状況を監視し、記憶する。また、監視して記憶したデータをサーバーのメモリーモジュールに記憶し、他のモジュールの工作周期を維持しつつ、時々サーバーから転送されてきた様々なデータと請求を受信し、処理する。
【００４４】
本発明では、発光部材における発光する部品はＬＥＤライトグループである。ＬＥＤライトグループは、エコな光源として、省エネ、寿命が長いこと、適応性が優れること（単体ＬＥＤのサイズが小さいから、どんな形状にも組合せることができる）、反応時間が短いこと（ｎｓレベルであり、普通のライトはｍｓレベルであり）、エコ（有害金属、廃棄物がなく、回収に便利）、色が綺麗であること（発光色が純粋で、スペクトル範囲が狭いこと、またレッド、グリーン、ブルーの組合せにより白光あるいはカラーの光を合成できる）などのメリットがある。
【００４５】
本発明は上記のライトコントロールシステムの制御方法を提供し、その詳細は、
環境収集モジュールは、環境データを収集して、コントローラーに転送し、
コントローラーは、環境データに基づき、メモリーモジュールに記憶されたデータを問い合わせ、計算モジュールにより発光部材に対する制御指令を得て、当該制御指令によって発光部材を制御する。
【００４６】
上記の方法は、さらに、音声・語義処理モジュールもしくは無線コントロール装置を利用して、コントローラーに操作指令を出し、
コントローラーは操作指令を受信し、操作指令によって発光部材のライトを制御する。
【００４７】
以上、本発明が提出したライトコントロールシステムは、音声指令を通じて発光部材を制御でき、同時に、様々なセンサーデータを収集し、ローカルデータもしくはサーバーデータを探して、アルゴリズムにより現在の発光部材の所在環境の各パラメーターを取り出して、これにより、現在の発光部材が提供したライト環境が現在の環境とマッチするかどうかを判断し、自動的に各装置を調整することにより現在の環境に対しての最善な効果を達成する。
【００４８】
以上説明と図面により、具体的な実施方式の特定構成と典型的な実施形態を提供したが、本発明の精神に基づいて、他の実施形態も可能である。上記の発明の実施形態は好ましいが、本発明は上記の実施形態に限られない。
【００４９】
当業者は、上記の説明を利用して様々な変更、修正をすることができる。そのため、添付した請求の範囲は本発明の真意と請求の範囲に関わる全ての変化と修正とを含むものとみなされる。請求の範囲内のあらゆる等価な範囲と内容は、すべて本発明に属するものとみなされる。
【図１】
0006488392.tif 000002
【図２】
0006488392.tif 000003